(57)【特許請求の範囲】
【請求項１】
液体を貯留する貯留槽と、該貯留槽の下方に設けられた燃焼室とを備え、前記燃焼室から前記貯留槽内を経由して上方に延びる排気筒を上下方向に沿って立設し、該排気筒の内壁面にフィンを設けており、前記貯留槽は、水平横断面が矩形に形成されるとともに、前記排気筒は、水平横断面が長方形をなす偏平角筒状に形成され、その長辺方向が前記貯留槽の一辺と平行に配置され、短辺方向に相互に間隔をおいて複数立設されることにより、これら排気筒の長辺方向の側面どうしが対向しており、これら側面どうしの間の空間の両端方向の前記貯留槽の一側面に給液口が設けられ、反対側面に排液口が設けられ、かつ、前記フィンは、帯状の板材を矩形波状に複数回折り曲げて形成されたフィン部材が、前記排気筒の前記長辺方向の両側面にそれぞれ固着され、前記短辺方向に突出し、前記排気筒の短辺方向の中間位置で対向していることを特徴とする液体加熱装置。
【発明の詳細な説明】
【技術分野】
【０００１】
本発明は、例えば食器洗浄機に使用される温水を加熱しておくための液体加熱装置に関する。
【背景技術】
【０００２】
食器洗浄機は、洗浄液での食器洗浄後に、８０℃程度の高温の温水を供給してすずぎを行うようにしている。業務用の食器洗浄機においては、そのすずぎのための温水を高温状態で溜めておくブースターと呼ばれる液体加熱装置が備えられている。
この液体加熱装置としては、例えば特許文献１及び特許文献２に記載のものが知られている。
【０００３】
特許文献１に記載の液体加熱装置（食器洗浄機用ブースター）は、貯水槽（貯蔵湯沸部）の下方に燃焼室（ガス燃焼装置）が設けられるとともに、貯水槽の内部に燃焼室に連通する加熱室（突出部）が下方から突出するように設けられ、その加熱室に排気筒が接続されている。また、加熱室内には、複数本のフィンチューブ型の熱交換器が左右側面を貫通することにより、貯水槽に連通状態に設けられ、この熱交換器内を流通する水が、加熱室を経由する燃焼ガスとの間で熱交換して加熱される構成である。
【０００４】
また、特許文献２に記載の液体加熱装置は、水槽内に複数本の伝熱管が水平方向に沿って平行に設けられており、水槽下方の燃焼室で生じた燃焼ガスを伝熱管内を経由させて煙突から放出し、伝熱管の周囲の水を加熱する構成である。
【先行技術文献】
【特許文献】
【０００５】
【特許文献１】特開２００１−２９９６６３号公報
【特許文献２】特開２００２−２４３２７７号公報
【発明の概要】
【発明が解決しようとする課題】
【０００６】
特許文献１記載の液体加熱装置においては、水槽内の水をチューブ状の熱交換器内に流通させて加熱するものであるため、水槽内の水全体を加熱するには時間がかかる。このため、熱交換器を傾斜させて流通し易くしているが、狭い熱交換器内を流通させる構造であることには変わらず、熱交換器内の流量不足により局部的な突沸現象が生じるおそれもある。
一方、特許文献２記載の液体加熱装置は、特許文献１記載のものとは逆に、水槽内の伝熱管に燃焼ガスを流通させる構成であるから、水の突沸現象の発生防止には有効であるが、複数本の伝熱管が平行に設けられているので、これら伝熱管の間が狭い空間となり、清掃等のメンテナンスが煩雑になるという問題がある。
【０００７】
本発明は、このような事情に鑑みてなされたもので、短時間で速やかに加熱するとともに、突沸現象を生じさせることがなく、しかも清掃等のメンテナンスも容易な液体加熱装置を提供することを目的とする。
【課題を解決するための手段】
【０００８】
本発明の液体加熱装置は、液体を貯留する貯留槽と、該貯留槽の下方に設けられた燃焼室とを備え、前記燃焼室から前記貯留槽内を経由して上方に延びる排気筒を上下方向に沿って立設し、該排気筒の内壁面にフィンを設けており、前記貯留槽は、水平横断面が矩形に形成されるとともに、前記排気筒は、水平横断面が長方形をなす偏平角筒状に形成され、その長辺方向が前記貯留槽の一辺と平行に配置され、短辺方向に相互に間隔をおいて複数立設されることにより、これら排気筒の長辺方向の側面どうしが対向しており、これら側面どうしの間の空間の両端方向の前記貯留槽の一側面に給液口が設けられ、反対側面に排液口が設けられ、かつ、前記フィンは、帯状の板材を矩形波状に複数回折り曲げて形成されたフィン部材が、前記排気筒の前記長辺方向の両側面にそれぞれ固着され、前記短辺方向に突出し、前記排気筒の短辺方向の中間位置で対向していることを特徴とする。
【０００９】
この液体加熱装置は、排気筒が貯留槽内を上下方向に沿って立設され、その内壁面にフィンが設けられた構成であるから、排気筒の外周面が平坦で、その周囲の空間が上方に開放状態とされる。したがって、排気筒の周囲に貯留される液体の対流が阻害されることなく、排気筒周囲の液体全体で対流が円滑に行われ、短時間で速やかに加熱される。また、上方が開放した広い空間内で加熱されるため、突沸現象の発生も確実に防止することができ、さらに、貯留槽の上方から液体貯留空間内を容易に目視点検でき、また手を入れて清掃することも容易であり、メンテナンス性にも優れる。
【００１０】
また、この液体加熱装置においては、矩形横断面の貯留槽内に、偏平角筒状の排気筒が並列に立設されることになり、貯留槽内の液体は、隣接する排気筒の広い側面間で速やかに加熱され、しかも、排気筒の間が上方に開放されているので、その点検、清掃等のメンテナンス作業も容易である。
【００１１】
さらに、偏平角筒状の排気筒の広い表面積を有する側面にフィンが設けられているから、その広い表面積の側面がフィンを介して効率的に加熱され、その周囲の液体を広い表面積で速やかに加熱することができ、極めて熱効率が高い。
【発明の効果】
【００１２】
本発明の液体加熱装置は、排気筒が貯留槽内を上下方向に沿って立設され、その内壁面にフィンが設けられているので、排気筒の外周面が平坦で、その周囲の空間が上方に開放状態とされて、円滑に対流を生じさせて、短時間で速やかに加熱することができるとともに、貯留液体の突沸現象の発生も防止することができ、また、点検、清掃等のメンテナンス作業も容易にすることができる。
【図面の簡単な説明】
【００１３】
【図１】本発明の液体加熱装置の一実施形態について一部を透視して模式的に示した斜視図である。
【図２】図１の液体加熱装置の縦断面図である。
【図３】図２のＡ−Ａ線に沿う矢視図である。
【図４】図２のＢ−Ｂ線に沿う矢視図である。
【図５】図１の液体加熱装置に設置される排気筒の内部を透視し一部を省略して示した部分拡大図である。
【発明を実施するための形態】
【００１４】
以下、本発明の液体加熱装置の一実施形態を図面を参照しながら説明する。
図面に示した液体加熱装置１は、図示略の食器洗浄機用のブースターとして用いられるものであり、食器洗浄機に隣接して設置される。
【００１５】
この液体加熱装置１は、上方を開放状態としたハウジング２の内部に、その内部空間を上下二つの空間に区画する仕切り板３が設けられ、ハウジング２の下部が燃焼室４、上部が貯留槽５とされている。ハウジング２は、全体としては直方体状に形成され、横断面が矩形に形成されている。燃焼室４は、内部にバーナー６が設けられている。仕切り板３は、ハウジング２の内周面に液密に固定されており、中央部に、仕切り板３の下面を凹状に屈曲形成させることにより、上方に突出するように横断面矩形の棚部７が形成されている。ハウジング２の横断面と棚部７の横断面とはほぼ相似形の矩形に形成されている。また、燃焼室４のバーナー６は、この棚部７の下方に配置されて、棚部７の内側に燃焼ガスを送り込むようになっている。そして、この棚部７の上に、三つの排気筒８が垂直に立設されている。
【００１６】
これら排気筒８は、その横断面が矩形をなす偏平な角筒状に形成されており、奥行方向寸法が薄く、幅方向寸法が棚部７の幅方向寸法より若干小さい程度の幅寸法を有し、奥行方向が短辺、幅方向が長辺とされている。また、高さ寸法は、棚部７の上に立設状態でハウジング２の上端よりもわずかに上方に突出する大きさに形成されている。
また、三つの排気筒８は、その長辺方向をハウジング２の幅方向に揃え、奥行方向（短辺方向）に間隔をおいて並べられており、長辺方向の広い側面１１どうしが対向するように相互に平行に配置されている。したがって、これら排気筒８の側面１１の間に、対向する側面１１間で挟まれた上下方向に広い空間Ｓが形成される。
【００１７】
また、各排気筒８内には、フィン１２が設けられている。このフィン１２は、図５に示す例では、一つの排気筒８に対して四つのフィン部材１３を固定することによって構成されている。これらフィン部材１３は、帯状の板材を矩形波状に複数回折り曲げて形成されたものであり、その矩形波によって形成される溝が相互に平行に配置されている。具体的には、相互に平行な複数の側板部１４の一側縁どうし及び他の側縁どうしを平板部１５によって交互に連結させた構造とされる。また、各フィン部材１３は、その長さは排気筒８の幅方向の内寸と同じであるが、矩形波の高さ（側板部１４の高さ）が排気筒８の短辺方向の内寸の半分以下の寸法とされ、また、全体の高さ（側板部１４の長さ）も排気筒８の高さの半分以下の寸法に設定されている。そして、排気筒８の広い側面１１の内側に、両側板部１４の一側縁どうしを連結している平板部１５がろう付け等によって固着されている。
【００１８】
この場合、各フィン部材１３の側板部１４が排気筒８の高さ方向に沿って配置されていることにより、矩形波による溝が排気筒８の高さ方向に沿って配置される。また、四つのフィン部材１３のうちの二つずつを排気筒８の側面１１の同じ高さ位置となるように固着することにより、排気筒８の奥行方向の中間位置でフィン部材１３どうしが対向するように配置されている。また、高さ方向では、排気筒８の高さの途中位置に空間を開けて上下二段にフィン部材１３が固着されている。
このような配置でフィン部材１３が固着されることにより、排気筒８の内方に各フィン部材１３が突出し、これらフィン部材１３の矩形波によって排気筒８の内部空間が複数の小空間に区画され、各小空間が排気筒８の高さ方向に沿って配置された状態となる。
【００１９】
また、ハウジング３の貯留槽５には、その一側面の下部に給液口２１が設けられるとともに、他の側面の上部に排液口２２が設けられている。これら給液口２１及び排液口２２は、貯留槽５の幅方向の両端部に配設されることにより、貯留槽５内に平行に配置されている排気筒８の間の空間Ｓの両端方向にそれぞれ設けられている。したがって、ハウジング２の一側面下部の給液口２１から供給された水は、貯留槽５内で各排気筒８の間の空間Ｓを図４の矢印で示すように経由して反対側面上部の排液口２２から排出されるようになっている。排液口２２から排出される温水は、この液体加熱装置１が隣接する図示略の食器洗浄機内に供給される。
なお、貯留槽５には、水の量を検知する水位センサと、内部の水の温度を測定する温度センサ（いずれも図示略）とが設けられており、貯留槽５内の水位に応じて給液口２１からの給液が制御されるとともに、温度センサで水の温度を検知しながら、バーナー６の燃焼及び消火が制御されるようになっている。
【００２０】
このように構成した液体加熱装置１は、貯留槽５内に水Ｗを満たした状態で、燃焼室４のバーナー６に点火すると、その燃焼ガスは、燃焼室４から仕切り板３中央部の棚部７を経由して各排気筒８内に導かれるとともに、仕切り板３及び棚部７が加熱されることにより、これらの上面付近の水が加熱される。また、各排気筒８内では、その内壁面が直接燃焼ガスによって加熱されるとともに、内方に突出しているフィン１２が燃焼ガスによって加熱されることにより、このフィン１２を介して排気筒８の壁が加熱され、これらの熱が排気筒８の壁を経由して周囲の水に伝わって、その周辺の水を加熱する。この場合、排気筒８は、偏平な角筒状に形成され、その広い側面１１どうしが対向して配置されているので、これら側面１１の間の空間Ｓ内の水が広い側面１１全体から熱を受け、速やかに加熱される。この場合、排気筒８の間の空間Ｓは、上下方向に開放状態とされているので、加熱された水の対流が阻害されることはなく、速やかに温度上昇させられる。
【００２１】
貯留槽５内の水Ｗが所定の温度、例えば８０℃に達したことが温度センサで検知されると、バーナー６が消火又はパイロットバーナーのみが点火した状態とされる。そして、加熱された水は、必要に応じて食器洗浄機に向けて排出される。また、食器洗浄機への供給により貯留槽５内の水位が下がると、水位センサの作動により、給液口２１から貯留槽５内に新たな水が供給され、それに伴い水温が低下すると、水温センサの作動によりバーナー６が点火して再び加熱される。
【００２２】
このようにして、貯留槽５内に貯留された所定量の水Ｗを加熱しておき、必要時に加熱状態の温水が食器洗浄機に排出され、水位の低下した貯留槽５内には新たな水が補給されて加熱される。この水の供給、その加熱、加熱した温水の排出という連続した処理において、貯留槽５内の排気筒８により水温を短時間で急速に高めることができるので、貯留槽５内の温度を常に一定温度に維持して、食器洗浄機に安定して高温の温水を提供することができる。
また、従来技術のような細い管内で水を加熱するのではなく、上下方向に広く開放した空間で水を加熱する構成であるから、加熱時の突沸現象の発生も防止できる。
【００２３】
また、この液体加熱装置１の保守点検の際には、貯留槽５内は、排気筒８の周囲の空間が上方に開放状態とされているので、排気筒８の周囲を上方から目視することが容易であり、また、排気筒８の間に手を入れて、排気筒８の下部、仕切り板３及び棚板７の上面等を清掃することも容易である。したがって、この液体加熱装置１は、保守点検等のメンテナンス性にも優れている。
【００２４】
なお、本発明は上記実施形態に限定されるものではなく、本発明の趣旨を逸脱しない範囲において種々の変更を加えることが可能である。
例えば、上記実施形態では、食器洗浄機に供給される温水を加熱するためのブースターに適用したが、水以外にも、油等の液体を加熱する装置、例えばフライヤ等にも本発明を適用することができる。また、排気筒の本数等は一例であり、少なくとも一つの排気筒を有するものに適用できる。また、排気筒内に複数のフィン部材を上下に分けて設ける場合、実施形態のように上下のフィン部材の側板部を上下に揃えた状態に配置してもよいが、側板部のピッチの半分程度水平方向にずらして配置するようにしてもよい。
【符号の説明】
【００２５】
１  液体加熱装置
２  ハウジング
３  仕切り板
４  燃焼室
５  貯留槽
６  バーナー
７  棚部
８  排気筒
１１  側面
１２  フィン
２１  給液口
２２  排液口
【図１】
0005734598.tif 000002
【図２】
0005734598.tif 000003
【図３】
0005734598.tif 000004
【図４】
0005734598.tif 000005
【図５】
0005734598.tif 000006